(57)【要約】  スライドピンとカム部材との連結作業を容易に行うことができ、連結状態でのガタ付きが軽減されるようにしたロック装置を提供する。  ロック装置のスライドピン３のカム部材４への連結端部３ｃには、軸方向に突出した柱状部３２と、該柱状部の端部から両側に突出した両側突部３３，３３とが設けられ、カム部材４のスライドピンへの連結端部４ａには、前記柱状部を受け入れる軸方向凹部４１及び該軸方向凹部の途中から拡径して前記両側突部を受け入れる幅方向凹部４２からなる収容凹部４０と、該収容凹部の軸方向奥部に設けられ、前記スライドピンの前記柱状部突出方向の端部を軸方向に押圧しながら、該端部に係合する弾性係合片４４とが設けられている。また、前記幅方向凹部の両側内面に、前記両側突部に係合する係止段部が設けられていてもよい。
2008087786.tif 000002
【特許請求の範囲】
【請求項１】
収納空間を備える支持体と、該支持体に回動可能に軸支されて収納空間を閉塞する蓋体と、該蓋体に移動可能に支持されて支持体に係脱するスライドピンと、該スライドピンを付勢して支持体に係止させるばね部材と、前記蓋体に揺動可能に軸支された操作ハンドルと、該操作ハンドルに連結された筒状部材と、該筒状部材に一端を挿入され、他端に前記スライドピンが連結されるカム部材と、前記操作ハンドルの揺動動作を前記スライドピンの軸方向移動に変換させる、前記筒状部材と前記カム部材との間に設けられたカム機構とを備えたロック装置において、
前記スライドピンの前記カム部材への連結端部には、軸方向に突出した柱状部と、該柱状部から両側に突出した両側突部とが設けられ、
前記カム部材の前記スライドピンへの連結端部には、前記柱状部を受け入れる軸方向凹部及び該軸方向凹部の途中から拡幅して前記両側突部を受け入れる幅方向凹部からなる収容凹部と、該収容凹部の軸方向奥部に設けられ、前記スライドピンの前記柱状部突出方向の端部を軸方向に押圧しながら、該端部に係合する弾性係合片とが設けられていることを特徴とするロック装置。
【請求項２】
収納空間を備える支持体と、該支持体に回動可能に軸支されて収納空間を閉塞する蓋体と、該蓋体に移動可能に支持されて支持体に係脱するスライドピンと、該スライドピンを付勢して支持体に係止させるばね部材と、前記蓋体に揺動可能に軸支された操作ハンドルと、該操作ハンドルに連結された筒状部材と、該筒状部材に一端を挿入され、他端に前記スライドピンが連結されるカム部材と、前記操作ハンドルの揺動動作を前記スライドピンの軸方向移動に変換させる、前記筒状部材と前記カム部材との間に設けられたカム機構とを備えたロック装置において、
前記スライドピンの前記カム部材への連結端部には、軸方向に突出した柱状部と、該柱状部の端部から両側に突出した両側突部とが設けられ、
前記カム部材の前記スライドピンへの連結端部には、前記柱状部を受け入れる軸方向凹部及び該軸方向凹部の途中から拡幅して前記両側突部を受け入れる幅方向凹部からなる収容凹部と、前記幅方向凹部の両側内方に形成された、前記両側突部に係合する係止段部とが設けられていることを特徴とするロック装置。
【請求項３】
収納空間を備える支持体と、該支持体に回動可能に軸支されて収納空間を閉塞する蓋体と、該蓋体に移動可能に支持されて支持体に係脱するスライドピンと、該スライドピンを付勢して支持体に係止させるばね部材と、前記蓋体に揺動可能に軸支された操作ハンドルと、該操作ハンドルに連結された筒状部材と、該筒状部材に一端を挿入され、他端に前記スライドピンが連結されるカム部材と、前記操作ハンドルの揺動動作を前記スライドピンの軸方向移動に変換させる、前記筒状部材と前記カム部材との間に設けられたカム機構とを備えたロック装置において、
前記スライドピンの前記カム部材への連結端部には、軸方向に突出した柱状部と、該柱状部の端部から両側に突出した両側突部とが設けられ、
前記カム部材の前記スライドピンへの連結端部には、前記柱状部を受け入れる軸方向凹部及び該軸方向凹部の途中から拡幅して前記両側突部を受け入れる幅方向凹部からなる収容凹部が設けられており、
前記スライドピンの前記柱状部の基部周辺に位置する端面と前記カム部材の連結端部の端面との突合せ面が、前記両側突部に対して、前記収容凹部への挿入方向における後方側で、互いに近接対峙するように構成されていることを特徴とするロック装置。
【請求項４】
前記スライドピンの前記柱状部の基部周辺に位置する端面には、前記カム部材の連結端部の幅方向両側に当接する一対の突出部が設けられている請求項１〜３のいずれか１つに記載のロック装置。
【請求項５】
前記スライドピンの前記柱状部の基部周辺に位置する端面に設けられた一対の突出部は、前記収容凹部への挿入方向に対して後方に偏位した位置に設けられ、前記カム部材の連結端部には、その両側角部から前記挿入方向の途中まで案内凹部が形成されており、前記突出部は、前記案内凹部に挿入されるように構成されている請求項４記載のロック装置。
【請求項６】
前記スライドピンの両側突部の各端面には、前記収容凹部への挿入方向側に位置する係合突起が形成されており、前記カム部材の幅方向凹部の内面には、前記係合突起が係合する係止段部が設けられている請求項１〜５のいずれか１つに記載のロック装置。
【請求項７】
前記スライドピンの前記柱状部の基部周辺に位置する端面には、前記カム部材の連結端部の両側に当接する一対の突出部が、前記収容凹部への挿入方向に対して後方に偏位した位置に設けられ、該突出部は、前記両側突部に形成された係合突起よりも、前記挿入方向の後方寄りに配置されている請求項６記載のロック装置。
【請求項８】
前記スライドピンの柱状部の軸方向端面には、前記収容凹部への挿入方向に偏位して先端突起が形成され、前記カム部材の収容凹部の軸方向奥部には、前記先端突起が係合する係止爪部を有する弾性係合片が設けられている請求項１〜７のいずれか１つに記載のロック装置。
【請求項９】
前記弾性係合片は、前記収容凹部の奥部において、開口側から底部側に向けて屈曲して伸び、その下端部に前記係止爪部が形成されている請求項８記載のロック装置。
【請求項１０】
前記先端突起は、前記スライドピンの柱状部の軸方向端面の中心よりも、前記収容凹部への挿入方向側に偏位して配置されている請求項８又は９記載のロック装置。
【請求項１１】
前記スライドピンの両側突部は、その断面が角形状をなしており、
更に、前記カム部材の幅方向凹部は、前記スライドピンの両側突部の少なくとも一面が適合する内周面を有している請求項１〜１０のいずれか１つに記載のロック装置。
【請求項１２】
前記スライドピンの係合突起は、前記両側突部の各端面の、前記収容凹部への挿入方向の後方寄りに形成されている請求項６記載のロック装置。
【請求項１３】
前記スライドピンの柱状部は、その断面が角形状をなしており、
更に、前記カム部材の軸方向凹部は、前記スライドピンの柱状部の少なくとも一面が適合する内周面を有している請求項１〜１２のいずれか１つに記載のロック装置。
【発明の詳細な説明】
【技術分野】
【０００１】
本発明は、例えば、自動車のインストルメントパネル側に回動可能に軸支されるグローブボックスなどに使用されるロック装置に関するものである。
【背景技術】
【０００２】
このようなロック装置として、本出願人による下記特許文献１に記載されたものが知られている。すなわち、特許文献１には、収納空間を備える支持体と、該支持体に回動可能に軸支されて収納空間を閉塞する蓋体と、該蓋体に移動可能に支持されて支持体に係脱するスライドピンと、該スライドピンを付勢して支持体に係止させるばね部材と、蓋体に揺動可能に軸支されてスライドピンの係止を解除する操作ハンドルと、該操作ハンドルの揺動をスライドピンの移動に変換する運動変換機構とを有するロック装置において、操作ハンドル又はスライドピンのいずれか一方に連設される外側円筒部材と、他方に連設されて該外側円筒部材に同心で移動可能に嵌合する内側円筒部材と、外側円筒部材と内側円筒部材とに同時に摺接するＯリングとを有するものが開示されている。【０００３】
そして、特許文献１には、外側円筒部材を操作ハンドルに設け、内側円筒部材をカム部材とし、このカム部材の外側端部を角筒状に形成し、スライドピンの連結側の端部に弾性変形可能な差込部を設け、この差込部に前記角筒状端部の側壁に形成された係合孔に係合する突起を設け、前記差込部を前記角筒状端部に挿入し、前記突起を前記係合孔に係合させて抜け止めするようにした実施形態が開示されている。
【特許文献１】特開２００５−１２７０２０号公報
【発明の開示】
【発明が解決しようとする課題】
【０００４】
しかしながら、上記特許文献１に記載されたロック装置では、カム部材の角筒状端部にスライドピンの連結端部に形成された差込部を軸方向から挿入して連結する構造をなすので、挿入操作がしにくく、組立て作業性が悪いという問題点があった。また、差込部の突起を角筒状端部の係合孔に係合させても、差込部と角筒状端部との隙間や、突起と係合孔との隙間によってガタ付きが生じることがあった。更に、カム部材の角筒状端部の形状が複雑で、金型構造が複雑化するという問題もあった。【０００５】
したがって、本発明の目的は、操作ハンドルに連動するカム機構によってスライドピンを軸方向に移動させてロック解除を行うようにしたロック装置において、スライドピンとカム部材との連結作業を容易に行うことができ、連結状態でのガタ付きが軽減されるようにしたロック装置を提供することにある。
【課題を解決するための手段】
【０００６】
上記目的を達成するため、本発明の第１は、収納空間を備える支持体と、該支持体に回動可能に軸支されて収納空間を閉塞する蓋体と、該蓋体に移動可能に支持されて支持体に係脱するスライドピンと、該スライドピンを付勢して支持体に係止させるばね部材と、前記蓋体に揺動可能に軸支された操作ハンドルと、該操作ハンドルに連結された筒状部材と、該筒状部材に一端を挿入され、他端に前記スライドピンが連結されるカム部材と、前記操作ハンドルの揺動動作を前記スライドピンの軸方向移動に変換させる、前記筒状部材と前記カム部材との間に設けられたカム機構とを備えたロック装置において、
前記スライドピンの前記カム部材への連結端部には、軸方向に突出した柱状部と、該柱状部から両側に突出した両側突部とが設けられ、
前記カム部材の前記スライドピンへの連結端部には、前記柱状部を受け入れる軸方向凹部及び該軸方向凹部の途中から拡幅して前記両側突部を受け入れる幅方向凹部からなる収容凹部と、該収容凹部の軸方向奥部に設けられ、前記スライドピンの前記柱状部突出方向の端部を軸方向に押圧しながら、該端部に係合する弾性係合片とが設けられていることを特徴とするロック装置を提供するものである。【０００７】
上記発明によれば、スライドピンの連結端部に形成された柱状部及び両側突部を、カム部材の連結端部に形成された軸方向凹部及び幅方向凹部に挿入すると、スライドピンの軸方向端部が弾性係合片に係合して、収容凹部への挿入方向に対して抜け止めされる。また、スライドピンの両側突部がカム部材の幅方向凹部に係合して、スライドピンを軸方向に対して抜け止めする。こうして、スライドピンをカム部材に対して軸方向とは直角方向から組付けて連結することができるので、スライドピンのカム部材への取付作業がしやすくなり、組立て作業性を向上させることができる。更に、弾性係合片がスライドピンの端部を軸方向に押圧するので、スライドピンの両側突部がカム部材の幅方向凹部内周に圧接され、ガタ付きを防止することができる。また、カム部材の連結端部は、軸方向に直交する方向に開口する収容凹部を有して全体として箱型をなすので、成形のための金型構造も比較的簡単になるという利点も得られる。【０００８】
本発明の第２は、収納空間を備える支持体と、該支持体に回動可能に軸支されて収納空間を閉塞する蓋体と、該蓋体に移動可能に支持されて支持体に係脱するスライドピンと、該スライドピンを付勢して支持体に係止させるばね部材と、前記蓋体に揺動可能に軸支された操作ハンドルと、該操作ハンドルに連結された筒状部材と、該筒状部材に一端を挿入され、他端に前記スライドピンが連結されるカム部材と、前記操作ハンドルの揺動動作を前記スライドピンの軸方向移動に変換させる、前記筒状部材と前記カム部材との間に設けられたカム機構とを備えたロック装置において、
前記スライドピンの前記カム部材への連結端部には、軸方向に突出した柱状部と、該柱状部の端部から両側に突出した両側突部とが設けられ、
前記カム部材の前記スライドピンへの連結端部には、前記柱状部を受け入れる軸方向凹部及び該軸方向凹部の途中から拡幅して前記両側突部を受け入れる幅方向凹部からなる収容凹部と、前記幅方向凹部の両側内方に形成された、前記両側突部に係合する係止段部とが設けられていることを特徴とするロック装置を提供するものである。【０００９】
上記発明によれば、スライドピンの連結端部に形成された柱状部及び両側突部を、カム部材の連結端部に形成された軸方向凹部及び幅方向凹部に挿入すると、スライドピンの両側突部が、カム部材の幅方向凹部の内方に形成された係止段部に係合して、収容凹部への挿入方向に対して抜け止めされる。また、スライドピンの両側突部がカム部材の幅方向凹部に係合して、スライドピンをその軸方向に対して抜け止めする。こうして、スライドピンをカム部材に対して軸方向とは直角方向から組付けて連結することができる。そして、スライドピンの両側突部がカム部材の係止段部に係合し、スライドピンの端部が左右両側で抑えられるため、ガタ付きなく保持することができる。【００１０】
本発明の第３は、収納空間を備える支持体と、該支持体に回動可能に軸支されて収納空間を閉塞する蓋体と、該蓋体に移動可能に支持されて支持体に係脱するスライドピンと、該スライドピンを付勢して支持体に係止させるばね部材と、前記蓋体に揺動可能に軸支された操作ハンドルと、該操作ハンドルに連結された筒状部材と、該筒状部材に一端を挿入され、他端に前記スライドピンが連結されるカム部材と、前記操作ハンドルの揺動動作を前記スライドピンの軸方向移動に変換させる、前記筒状部材と前記カム部材との間に設けられたカム機構とを備えたロック装置において、
前記スライドピンの前記カム部材への連結端部には、軸方向に突出した柱状部と、該柱状部の端部から両側に突出した両側突部とが設けられ、
前記カム部材の前記スライドピンへの連結端部には、前記柱状部を受け入れる軸方向凹部及び該軸方向凹部の途中から拡幅して前記両側突部を受け入れる幅方向凹部からなる収容凹部が設けられており、
前記スライドピンの前記柱状部の基部周辺に位置する端面と前記カム部材の連結端部の端面との突合せ面が、前記両側突部に対して、前記収容凹部への挿入方向における後方側で、互いに近接対峙するように構成されていることを特徴とするロック装置を提供するものである。【００１１】
上記発明によれば、スライドピンの連結端部に形成された柱状部及び両側突部を、カム部材の連結端部に形成された軸方向凹部及び幅方向凹部に挿入することにより、スライドピンの両側突部がカム部材の幅方向凹部に係合して、スライドピンをその軸方向に対して抜け止めする。この状態で、スライドピンが両側突部を中心として折れ曲がり、又は揺動しようとしても、スライドピンの柱状部の基部周辺に位置する端面とカム部材の連結端部との突合せ面が、前記収容凹部への挿入方向における後方側で、互いに近接対峙しているので、上記近接対峙した部分で当接して、折れ曲がり又は揺動を防ぐことができ、スライドピンをガタ付きなく保持することができる。【００１２】
本発明の第４は、前記第１〜３の発明のいずれかにおいて、前記スライドピンの前記柱状部の基部周辺に位置する端面には、前記カム部材の連結端部の幅方向両側に当接する一対の突出部が設けられているロック装置を提供するものである。【００１３】
上記発明によれば、スライドピンの連結端部に設けられた一対の突出部が、カム部材の連結端部の幅方向両側に当接するので、カム部材の連結端部の両側壁が幅方向外側へ開くことを抑制し、スライドピンの両側突部が、カム部材の幅方向凹部に挿入されたときに、該両側突部をしっかりと保持することができる。また、カム部材の幅方向凹部に係止段部が形成されている場合には、該係止段部に強固に係合させることができる。【００１４】
本発明の第５は、前記第４の発明において、前記スライドピンの前記柱状部の基部周辺に位置する端面に設けられた一対の突出部は、前記収容凹部への挿入方向に対して後方に偏位した位置に設けられ、前記カム部材の連結端部には、その両側角部から前記挿入方向の途中まで案内凹部が形成されており、前記突出部は、前記案内凹部に挿入されるように構成されているロック装置を提供するものである。【００１５】
上記発明によれば、スライドピンの組付け方向を誤ってその反対面側から、カム部材の収容凹部に挿入しようとしたとき、一対の突出部が先に案内凹部に挿入され、案内凹部が挿入方向の途中までしかないことにより、完全に挿入できなくなる。これによって、誤組付けを防止することができる。【００１６】
本発明の第６は、前記第１〜５の発明のいずれかにおいて、前記スライドピンの両側突部の各端面には、前記収容凹部への挿入方向側に位置する係合突起が形成されており、前記カム部材の幅方向凹部の内面には、前記係合突起が係合する係止段部が設けられているロック装置を提供するものである。【００１７】
上記発明によれば、スライドピンの両側突部の各端面に設けた係合突起が、カム部材の幅方向凹部の係止段部に係合するので、抜け止め保持力を高めることができる。【００１８】
本発明の第７は、前記第６の発明において、前記スライドピンの前記柱状部の基部周辺に位置する端面には、前記カム部材の連結端部の両側に当接する一対の突出部が、前記収容凹部への挿入方向に対して後方に偏位した位置に設けられ、該突出部は、前記両側突部に形成された係合突起よりも、前記挿入方向の後方寄りに配置されているロック装置を提供するものである。【００１９】
上記発明によれば、一対の突出部が、両側突部に形成された係合突起よりも、挿入方向の後方寄り（言い換えると収容凹部の開口部寄り）に配置されて、カム部材の両側壁を開かないように抑えるので、両側突部の係合突起が幅方向凹部の係合段部に係合したときの抜け止め力を高めることができる。【００２０】
本発明の第８は、前記第１〜７の発明のいずれかにおいて、前記スライドピンの柱状部の軸方向端面には、前記収容凹部への挿入方向に偏位して先端突起が形成され、前記カム部材の収容凹部の軸方向奥部には、前記先端突起が係合する係止爪部を有する弾性係合片が設けられているロック装置を提供するものである。【００２１】
上記発明によれば、スライドピンの柱状部の軸方向端面に設けられた先端突起が、収容凹部の軸方向奥部に設けられた弾性係合片の係止爪部を撓ませつつ挿入されるので、スライドピンの連結端部の、カム部材の収容凹部への挿入を容易に行え、かつ、係合した際には強い抜け止め力を付与することができる。【００２２】
本発明の第９は、前記第８の発明において、前記弾性係合片は、前記収容凹部の奥部において、開口側から底部側に向けて屈曲して伸び、その下端部に前記係止爪部が形成されているロック装置を提供するものである。【００２３】
上記発明によれば、弾性係合片を長くすることができるので、スライドピンの連結端部を挿入するとき、弾性係合片を撓ませて挿入しやすくなる。【００２４】
本発明の第１０は、前記第８又は第９の発明において、前記先端突起は、前記スライドピンの柱状部の軸方向端面の中心よりも、前記収容凹部への挿入方向側に偏位して配置されているロック装置を提供するものである。【００２５】
上記発明によれば、スライドピンの柱状部の軸方向端面の先端突起が、挿入方向側に偏位して配置され、前記収容凹部の底部側で前記弾性係合片に係合するので、より抜けにくくなる。【００２６】
本発明の第１１は、前記第１〜１０の発明のいずれかにおいて、前記スライドピンの両側突部は、その断面が角形状をなしており、更に、前記カム部材の幅方向凹部は、前記スライドピンの両側突部の少なくとも一面が適合する内周面を有しているロック装置を提供するものである。【００２７】
上記発明によれば、断面角形状をなす両側突部の少なくとも一面が、幅方向凹部の内面に適合して当接するようになっているので、スライドピンのガタ付きを抑えて、カム部材に対して高い剛性で保持させることができ、スライドピンが収容凹部から抜け外れることをより確実に防止することができる。また、ガタ付きに起因するビビリ振動を防止して異音を抑制することができると共に、スライドピンとカム部材との一体性を高めることができ、操作ハンドルを動かしたときの支持体に対するスライドピンの係脱動作がスムーズになされる。【００２８】
更に、スライドピンの両側突部が断面角形状をなしていることにより、収容凹部の内面と、スライドピンの両側突部との当接面積が増大し、その結果、両側突部の収容凹部に対する接触面圧を低減することができる。そのため、蓋体の開閉動作を繰り返すことにより、スライドピンの両側突部とカム部材の収容凹部との間で摺動が繰り返しなされても、スライドピンの両側突部とカム部材の収容凹部との摩耗を少なくすることができる。それにより長期間に亘って、スライドピンの収容凹部からの抜け外れ防止や、ビビリ振動の防止、異音の抑制、スライドピンとカム部材との一体性向上等の上記効果を発揮させることができる。【００２９】
本発明の第１２は、前記第６の発明において、前記スライドピンの係合突起は、前記両側突部の各端面の、前記収容凹部への挿入方向の後方寄りに形成されているロック装置を提供するものである。【００３０】
上記発明によれば、スライドピンの係合突起は、両側突部の各端面の、スライドピンの収容凹部への挿入方向の後方寄りに形成されているので、スライドピンの係合突起に係合する係止段部を、スライドピンの挿入方向の後方寄りに設けることができる。その結果、収容凹部の幅方向凹部の内面に設けた係止段部が外側に撓みやすくなり、スライドピンの連結端部を収容凹部へ挿入する際の押し込み力を低減することでき、スライドピンのカム部材に対する組付け作業性を向上させることができる。【００３１】
本発明の第１３は、前記第１〜１２の発明のいずれかにおいて、前記スライドピンの柱状部は、その断面が角形状をなしており、更に、前記カム部材の軸方向凹部は、前記スライドピンの柱状部の少なくとも一面が適合する内周面を有しているロック装置を提供するものである。【００３２】
上記発明によれば、カム部材に対してスライドピンが回転する方向に力が作用した場合に、断面角形状をなすスライドピンの柱状部の少なくとも一面が、カム部材の軸方向凹部の内周面に適合して当接するので、スライドピンの回り止めがなされる。それにより、スライドピンの回転方向に対するガタ付きを抑えて、高い剛性でカム部材に保持させることができ、スライドピンとカム部材との一体性を高めることができる。
【発明の効果】
【００３３】
本発明のロック装置によれば、操作ハンドルに連動するカム機構によってスライドピンを軸方向に移動させてロック解除を行うようにしたロック装置において、スライドピンをカム部材に対して軸方向とは直角方向から組付けて連結することができるので、スライドピンのカム部材への取付作業がしやすくなり、組立て作業性を向上させることができる。また、スライドピンとカム部材との連結状態でのガタ付きを軽減することができる。
【図面の簡単な説明】
【００３４】
【図１】本発明によるロック装置の第１実施形態を示す分解斜視図である。
【図２】図１におけるＡ−Ａ矢視線に沿った断面図である。
【図３】同ロック装置のカム部材を示し、（ａ）は正面図、（ｂ）は底面図、（ｃ）は背面図、（ｄ）は（ａ）のＢ−Ｂ矢示線に沿った断面図である。
【図４】同ロック装置の操作ハンドルの円筒部にカム部材を収納して圧縮コイルばねで連結端部が外方に突出している状態を一部断面にして示す背面図である。
【図５】同操作ハンドルにおいてカム部材を圧縮コイルばねに抗して引き込ませた状態を一部断面にして示す背面図である。
【図６】同ロック装置のスライドピンとカム部材との連結構造を示し、（ａ）はスライドピンの連結端部の斜視図、（ｂ）はカム部材の連結端部の斜視図である。
【図７】同スライドピンを示し、（ａ）は中間を省略して示す正面図、（ｂ）は中間を省略して示す平面図である。
【図８】同スライドピンとカム部材との連結構造を一部切欠いて示す斜視図である。
【図９】同スライドピンとカム部材との連結構造を示し、（ａ）は平面図、（ｂ）は正面図である。
【図１０】同ロック装置をグローブボックスに装着し、ロックした状態を示す説明図である。
【図１１】同ロック装置をグローブボックスに装着し、ロックを解除した状態を示す説明図である。
【図１２】同ロック装置を適用したグローブボックスを示す斜視図である。
【図１３】本発明によるロック装置の第２実施形態を示し、（ａ）はスライドピンの連結端部の斜視図、（ｂ）はカム部材の連結端部の斜視図である。
【図１４】同ロック装置のスライドピンを示し、（ａ）は中間を省略して示す正面図、（ｂ）は中間を省略して示す平面図である。
【図１５】同ロック装置のカム部材を示し、（ａ）は正面図、（ｂ）は底面図、（ｃ）は背面図、（ｄ）は（ａ）のＣ−Ｃ矢示線に沿った断面図である。
【図１６】同ロック装置のスライドピンとカム部材との連結構造を示し、（ａ）は一部を切り欠いて示す斜視図、（ｂ）は切欠き方向を変えて示す斜視図である。
【図１７】同ロック装置のスライドピンとカム部材との連結構造を示す部分拡大断面図である。
【図１８】本発明によるロック装置の第３実施形態を示す、要部拡大斜視図である。
【図１９】同ロック装置のスライドピンを示し、（ａ）は中間を省略して示す正面図、（ｂ）は中間を省略して示す平面図、（ｃ）は（ａ）のＥ−Ｅ矢視線に沿った断面図、（ｄ）は（ａ）のＦ−Ｆ矢視線に沿った断面図である。
【図２０】同ロック装置のカム部材を示し、（ａ）は正面図、（ｂ）は底面図、（ｃ）は背面図、（ｄ）は（ａ）のＣ−Ｃ矢示線に沿った断面図である。
【図２１】同ロック装置のスライドピンとカム部材との連結構造を示し、（ａ）は一部を切り欠いて示す斜視図、（ｂ）は切欠き方向を変えて示す斜視図である。
【符号の説明】
【００３５】
１  操作ハンドル
２  支持枠
３  スライドピン
３ｃ  連結端部
４  カム部材
４ａ  連結端部
４ｂ  カム側端部
５  圧縮コイルばね（ばね部材）
６  円筒部
７  第１凸部
８  第２凸部
９  スリット
１０  ネジ孔
１１  折曲壁
１２  開口
１６  フランジ部
２０  カム溝
２０ａ  誘導溝
２１  ロック溝
２１ａ  隅肉部
２２  段差部
２３  凹溝
２４  Ｏリング
２５  収納溝
２８  ストライカ
３１  ロック孔
３２  柱状部
３３  両側突部
３４  角部
３５  突出部
３６  先端突起
３７，３７ａ  係合突起
３８  リブ
４０  収容凹部
４１  軸方向凹部
４２  幅方向凹部
４３，４３ａ  係止爪部
４４，４４ａ  弾性係合片
４５  案内凹部
４６  係止段部
Ｂ  グローブボックス（蓋体）
Ｐ  インストルメントパネル（支持体）
【発明を実施するための最良の形態】
【００３６】
以下、図１〜１２を参照して、本発明によるロック装置の第１実施形態を説明する。このロック装置は、図１２に示す自動車のインストルメントパネルＰに開閉可能に取付けられるグローブボックスＢのサイドロック装置に適用したものである。なお、以下の説明おける「下方」、「上方」という言葉は、図面上の上下を意味し、実際に装着される状態での上下を意味するものではない。【００３７】
すなわち、インストルメントパネルＰには、グローブボックスＢを収容する収納空間Ｓが設けられ、グローブボックスＢは、この収納空間Ｓの内部に設けられた図示しない支軸を介して回動可能に支持されている。収納空間Ｓの内側の両側壁には、ロック孔３１，３１が設けられている。また、収納空間Ｓの開口部上辺には、ストライカ２８が設置されている。グローブボックスＢは、上部が開口した容器状をなし、その前面上部に操作ハンドル１が設けられ、この操作ハンドル１から両側に一対のスライドピン３，３が伸びている。スライドピン３，３は、グローブボックスＢの両側壁から突出し、グローブボックスＢを閉じたときに上記ロック孔３１，３１に挿入されて、グローブボックスＢを閉じた状態にロックする。そして、その状態で操作ハンドル１を手前に引くと、スライドピン３，３がグローブボックスＢに引き込まれ、ロック孔３１，３１から抜き出されてロックが解除されるようになっている。【００３８】
そして、このロック装置は、図１に示す如く、上記グローブボックスＢの前面に画成される凹部内にあってグローブボックスＢの開閉を掌る操作ハンドル１と、該操作ハンドル１を揺動可能に支持して上記凹部内で延出する取付壁にネジ止めされる支持枠２と、左右一対のスライドピン３と、該左右の各スライドピン３の進退動を促す左右一対のカム部材４と、左右の各スライドピン３をインストルメントパネル側に形成されたロック孔方向に付勢するばね部材たる２本の圧縮コイルばね５と、上記カム部材４側に装着されて後述する制動力を発揮するＯリング２４とを備える構成となっている。【００３９】
上記操作ハンドル１は、図２にも示す如く、その背面側にカム部材４と圧縮コイルばね５を左右で個々に収納する有底の外側円筒部材たる一対の円筒部６を一体に形成して、該各円筒部６の内面に後述するカム部材４のカム溝２０内を移動する一対の第１凸部７と、各円筒部６の第１凸部７よりも奥側には同ロック溝２１に受け入れられる１個の第２凸部８を形成して構成されている。この円柱状の各凸部７・８の形成に際しては、個々の円筒部６の長手方向にスリット９を設けて、該スリット９と対向する円筒部６の内面に第１凸部７に比し短くて細い第２凸部８を形成し、スリット９の内周開口縁側に一方の第１凸部７を形成すると共に、該一方の第１凸部７と対向する円筒部６の内面に他方の第１凸部７を形成した構成となっている。なお、一対の第１凸部７は、上記した第２凸部８と比較すると、長くて太い形状が付与されており、後述するように、この第１凸部７とカム溝２０は、協働して、操作ハンドル１の揺動運動をスライドピン３の直動運動に変換する運動変換機構を構成する。【００４０】
支持枠２は、その背面側に複数のネジ挿通孔１０を形成すると共に、両側縁に上記円筒部６方向に折曲する折曲壁１１を延設して、該各折曲壁１１の中央部に各カム部材４の、スライドピン３への連結側の端部（以下「連結端部」とする）４ａの出没を許容する矩形状の開口１２を形成した構成となっている。【００４１】
左右一対のスライドピン３は、それぞれの先端部３ａが、グローブボックスＢの表面側に向けて次第に肉薄となる形状をなし、それによってグローブボックスＢの裏面側（閉じる際の押し込み方向）にテーパ面３ｂが形成されている。このため、グローブボックスＢを閉じるときに、上記テーパ面３ｂが収納空間Ｓの両側縁に当たってスライドピン３がグローブボックスＢ内に引き込まれて、グローブボックスＢを収納空間Ｓ内に収納できるようにしている。スライドピン３の、カム部材４への連結側の端部（以下「連結端部」とする）３ｃには、後述するように、カム部材４の連結端部４ａに係合する連結構造が設けられている。この連結構造が、本発明の特徴部分をなすのであるが、それについては、後述することにする。【００４２】
一対のカム部材４は、左右対称に成形されるものであるが、基本的には、図３に示されるように、そのフランジ部１６を境として、一端が箱状に成形された連結端部４ａをなし、他端が円筒状に成形されたカム側端部４ｂをなしている。【００４３】
カム側端部４ｂに対しては、その外周に略直角三角形状を呈するカム溝２０とカム部材４の軸線に平行な誘導溝２０ａとを形成し、該カム溝２０と誘導溝２０ａとは壁を隔てて同じ深さに形成されるが、フランジ部１６の近傍にカム溝２０と誘導溝２０ａとを繋げる通路が画成されている。上記誘導溝２０ａはカム側端部４ｂの端面まで達しており、カム部材４を軸線方向に移動させると、上記した第１凸部７が当該端面側から誘導溝２０ａに入り込み、上記通路を通って略直角三角形状のカム溝２０内に導入される。そして、ロック装置が組み上がった後、操作ハンドル１を把持して引き上げると、第１凸部７がカム溝２０を形成する略直角三角形状の斜辺溝縁に沿って摺接状態をもって移動する構成となっている。なお、カム側端部４ｂには、軸線を中心に１８０°回転させた位置にも、上記と同様なカム溝２０と誘導溝２０ａが形成されているため、一対の第１凸部７が対応するカム溝２０に導き入れられることとなる。【００４４】
これに加えて、上記一方のカム溝２０の斜辺近傍には、外周面よりも低く、カム溝２０の底面よりも高い段差部２２が形成されており、この段差部２２上に第２凸部８を受け入れるロック溝２１が形成されている。ロック溝２１は、略直角三角形状のカム溝２０の斜辺の外側で、外周面と同じ高さの壁をカム側端部４ｂの端面外周に沿ってＬ字状に延出すると共に、その先端２１ａを軸方向に突出させて形成した壁の内側の凹部として形成されている。そして、第１凸部７は、その長さが比較的長いので、カム溝２０に挿入されて摺動する際に、段差部２２に乗り上げることはできず、ロック溝２１には入らないようになっている。一方、第２凸部８は、その長さが比較的短いので、段差部２２上を摺動してロック溝２１に係合できるが、カム溝２０に入っても、カム溝２０の底部と段差部２２との間の段部には係合しないようになっている。したがって、後述する組付方法により、第２凸部をロック溝２１から外して組付を完了した後は、第１凸部７がカム溝２０に沿って摺動する際に、第２凸部８によって摺動が阻害されることがなく、操作者に不快な違和感を与えることがない。【００４５】
また、カム側端部４ｂには、各カム溝２０の斜辺溝縁を画成する壁肉の一部を切り欠いて、フランジ部１６の付け根側に上記したＯリング２４を装着する収納溝２５が形成されており、この収納溝２５にＯリング２４が装着される。【００４６】
よって、このロック装置を組み付ける場合には、まず、上記したカム部材４の各収納溝２５内にＯリング２４を装着した状態を得て、操作ハンドル１の各円筒部６内に左右の圧縮コイルばね５とカム部材４とを個々に挿入する。この場合、カム部材４のカム側端部４ｂの外周に形成されている一対のカム溝２０の誘導溝２０ａ内に、対応する第１凸部７を臨ませながら、カム部材４のカム側端部４ｂを円筒部６内に押し込んで所定方向に回転して、当該第１凸部７をカム溝２０内に係入させれば、左右の各カム部材４は、図４に示す如く、各圧縮コイルばね５のばね圧で、その連結端部４ａを外部に突出させた状態に付勢されることとなる。【００４７】
次いで、今度は、この状態にある操作ハンドル１に支持枠２を組付けることとなるが、この場合には、各カム部材４を円筒部６内に直線的に押し込んでから、操作ハンドル１を操作方向に揺動させて、第１凸部７をカム溝２０内で外側方向へ移行させることにより、図５に示す如く、ロック溝２１に第２凸部８が導き入れられて、カム部材４全体が円筒部６内に引き込まれることとなる。したがって、この状態で、支持枠２を操作ハンドル１の背面側に被嵌すれば、支持枠２を操作ハンドル１側に容易に組付けることができる。なお、この場合には、第１凸部７がカム溝２０の深底に存在し、第２凸部８がロック溝２１の浅底に存在することとなるので、両凸部７・８同士が干渉し合うことはない。【００４８】
したがって、この状態のまま、グローブボックスＢの凹部内で延出する取付壁に支持枠２をネジ止めすれば、当該凹部側に操作ハンドル１が揺動可能に支持される。この場合、左右のカム部材４の連結端部４ａが外部に突出していないので、組付作業が頗る容易となると共に、納品する場合にも、カム部材４を引き込んだ状態で納品できるので、納品形態も可能な限り小さくできる。【００４９】
次に、スライドピン３の連結端部３ｃと、カム部材４の連結端部４ａとの連結構造について説明する。【００５０】
図６，７に示すように、スライドピン３の連結端部３ｃには、その中央部から軸方向に突出した柱状部３２と、この柱状部３２の端部から両側に突出した両側突部３３，３３とが形成されている。この実施形態の場合、両側突部３３，３３は、柱状部３２に対してほぼＴ字形に交差する軸部で構成されている。両側突部３３，３３は、それらの端面から見たとき、下方部分が円弧状をなし、上方端部が角部３４をなしている。また、柱状部３２の基部周辺に位置する端面３９の上辺両側角部には、一対の突出部３５，３５が形成されている。更に、この突出部３５，３５より下方に伸びるリブ３８，３８が形成されている。【００５１】
一方、図６（ｂ）に示すように、カム部材４の連結端部４ａは、全体として正面が開口された箱型をなし、前記柱状部３２が適合する軸方向凹部４１と、前記両側突部３３，３３が適合する幅方向凹部４２とからなる収容凹部４０を有している。なお、この実施形態の場合、軸方向凹部４１は、幅方向凹部４２の間を通ってフランジ部１６の近傍まで延設されている。【００５２】
そして、フランジ部１６の近傍に至る、収容凹部４０の奥方の端部には、該収容凹部４０の底壁から立ち上がり、先端部に係止爪部４３を有する弾性係合片４４が配置されている。係止爪部４３は、フランジ部１６に対して反対側を向いて配置されている。【００５３】
また、カム部材４の連結端部４ａの上辺両側角部には、スライドピン３の挿入方向における途中まで（高さ方向の途中まで）の長さで、切欠き状に形成された案内凹部４５，４５が形成されている。この案内凹部４５、４５に、スライドピン３の前記突出部３５，３５が挿入されるようになっている。【００５４】
したがって、この実施形態において、スライドピン３をカム部材４に連結させる作業は次のようにして行うことができる。まず、前述したように、互いに組付けられた操作ハンドル１及び支持枠２を、グローブボックスＢの前面の凹部内に取付け、操作ハンドル１を動かして、カム部材４の連結端部４ａを図４に示す状態となるように突出させる。【００５５】
この状態で、スライドピン３の柱状部３２、両側突部３３，３３を、それぞれ収容凹部４０の軸方向凹部４１と幅方向凹部４２に挿入する。すると、図８，９に示すように、弾性係合片４４が撓んでスライドピン３の連結端部３ｃを受け入れ、連結端部３ｃが完全に押し込まれると、弾性係合片４４の係止爪部４３が角部３４に係合し、スライドピン３の連結端部３ｃが挿入方向に対して抜け止めされる。また、スライドピン３の両側突部３３，３３が、収容凹部４０の幅方向凹部４２の内周に当接して、軸方向への抜け止めもなされる。このように、スライドピン３を、カム部材４に対して、軸方向とは直角方向から組付けて連結することができるので、スライドピン３の連結のための作業性を良好にすることができる。【００５６】
そして、この状態では、弾性係合片４４がスライドピン３の連結端部を軸方向に押圧するため、スライドピン３の両側突部３３，３３が、収容凹部４０の幅方向凹部４２の内周に圧接され、ガタ付きが防止される。【００５７】
更に、スライドピン３の突出部３５、３５が、カム部材４の案内凹部４５，４５に挿入されて、スライドピン３の両側突部３３，３３よりも、挿入方向の手前側に離れた位置で、該突出部３５，３５がカム部材４の端面に近接対峙しているので、スライドピン３を、カム部材４に対して上方（図９（ａ）の矢印Ａ方向）に曲げようとしても、スライドピン３の突出部３５，３５がカム部材４の端面に当接して、曲げられることが防止される。また、スライドピン３をカム部材４に対して下方（図９（ａ）の矢印Ｂ方向）に曲げようとした場合には、リブ３８，３８がカム部材４の端面に当接して、曲げられることが防止される。そして、突出部３５，３５及びリブ３８，３８がカム部材の端面に当接することにより、連結部のガタ付きが更に効果的に防止される。【００５８】
更に、スライドピン３の突出部３５，３５は、収容凹部４０の両側壁が開くのを防止する役割をなす。このため、例えばスライドピン３の両側突部３３，３３の幅方向長さを、幅方向凹部４２の幅よりもやや大きくして、両側突部３３，３３を圧入するようにしたとしても、上記突出部３５，３５により両側壁が開くのが防止されるので、スライドピン３をガタ付きなくしっかりと保持させることができる。【００５９】
なお、スライドピン３は、その先端のテーパ面３ｂが操作ハンドル１の前面側に向くように組付けられる必要があるが、仮に組付け方向を誤って突出部３５、３５を下向きにして挿入したとしても、案内凹部４５が挿入方向の途中までしかないため、スライドピン３を組付けることができず、誤組付けを防止できる。【００６０】
こうしてスライドピン３をカム部材４に連結し、グローブボックスＢに装着した状態が図１０，１１に示されている。【００６１】
すなわち、操作ハンドル１を揺動操作させない状態にあっては、図１０に示す如く、左右一対のスライドピン３が圧縮コイルばね５の付勢ばね圧で伸長して、グローブボックスＢの側面に形成されている通孔５１からインストルメントパネルＰのロック孔３１に係入しているので、これにより、グローブボックスＢが閉塞状態にロックされることとなる。【００６２】
また、斯かるロック状態を解除する場合には、操作ハンドル１を把持して引き上げると、操作ハンドル１の揺動と連動する円筒部６内の第１凸部７が対応するカム溝２０の斜辺溝縁に沿って移動して、カム部材４を円筒部６内に引き込ませるので、図１１に示す如く、各スライドピン３の先端部がインストルメントパネルＰのロック孔３１から後退して、グローブボックスＢが開放方向へ回動することが許容されることとなる。【００６３】
そして、このとき、操作者が操作ハンドル１から手を離すと、これと連動して回転する円筒部６の第１凸部７とカム溝２０との拘束が解かれて、操作ハンドル１は圧縮コイルばね５のばね圧で円筒部６を伴って逆方向に急激な勢いで揺動しようとすると同時に、スライドピン３も圧縮コイルばね５の付勢ばね圧を受けて急激な勢いでロック孔３１方向に突出しようとするが、この実施形態にあっては、外側円筒部材たる操作ハンドル１の円筒部６の内面と内側円筒部材たるカム部材４のカム側端部４ｂの外面間にＯリング２４が同時に摺接しているので、このＯリング２４の摺動抵抗（制動力）で、操作ハンドル１はゆっくりと非操作位置方向に揺動して、これにより、スライドピン３の突出量を規制するストッパー同士、つまり、ここでは、操作ハンドル１と支持枠２同士が強く衝突することがなくなる。したがって、従来の如く、大きな衝突音を発生させる恐れが十分に抑制されることとなるので、衝突音が装置の破損を想起させて、操作者に不安感や不信感或いは不快感を与える心配がなくなる。【００６４】
逆に、開放されたグローブボックスＢを閉じる場合には、グローブボックスＢを閉塞方向へ回動することとなるが、このときには、ロック孔３１方向に突出する各スライドピン３の先端部のテーパ面３ｂが対向するインストルメントパネルＰの壁面に当接して、各スライドピン３の先端部が一旦直線的に後退しながら通過して、最終的に、圧縮コイルばね５の付勢ばね圧で、インストルメントパネルＰのロック孔３１に係入するので、これにより、上記した閉塞状態にロックされることとなる。【００６５】
この場合には、円筒部６の第１凸部７が対応するカム溝２０内で直線的に移動して、カム部材４を円筒部６内に引き込むこととなるので、スライドピン３がロック孔３１に係入する時には、今度は、スライドピン３が圧縮コイルばね５の付勢ばね圧を受けて急激な勢いでロック孔３１方向に突出しようとするが、上記と同様に、操作ハンドル１の円筒部６の内面とカム部材４のカム側端部４ｂの外面間にＯリング２４が同時に摺接しているので、このＯリング２４の摺動抵抗で、カム部材４は円筒部６内をゆっくりとロック孔３１方向に突出するので、その突出量を規制するストッパー同士、つまり、ここでは、カム溝２０と第１凸部７同士が強く衝突することがなくなる。したがって、この場合も、大きな衝突音を発生させる恐れが十分に抑制されることとなるので、衝突音が装置の破損を想起させて、操作者に不安感や不信感或いは不快感を与える心配がなくなる。【００６６】
次に、図１３〜１７を参照して、本発明の第２実施形態を説明する。なお、前記実施形態と実質的に同一部分には同符号を付して、その説明を省略することにする。【００６７】
この実施形態は、前記第１実施形態と比べて、スライドピン３とカム部材４との連結構造が相違しており、その他の部分は、前記第１実施形態とほぼ同じである。そこで、以下の説明では、上記連結構造の相違点について説明する。【００６８】
図１３（ａ）及び図１４に示すように、スライドピン３の連結端部３ｃには、柱状部３２と、両側突部３３，３３とが形成されている。そして、前記柱状部３２の軸方向に位置する先端には、カム部材４の収容凹部４０への挿入方向側に偏位した位置、言い換えると、側方から見たとき、両側突部３３，３３の中心よりも下方位置に、更に軸方向に突出する先端突起３６が形成されている。【００６９】
また、スライドピン３の両側突部３３，３３の突出端面には、挿入方向側（図中下側）に偏位した位置に、それぞれ係合突起３７が形成されている。【００７０】
更に、スライドピン３の柱状部３２の基部周辺の端面３９の両側上部には、前記一対の突出部３５，３５が形成されると共に、その下方部分に、突出部３５，３５よりも高さの低いリブ３８，３８が形成されている。【００７１】
一方、図１３（ｂ）、図１５及び図１６に示すように、カム部材４の連結端部４ａには、前記実施形態と同様に、軸方向凹部４１と幅方向凹部４２，４２とからなる収容凹部４０が形成されている。そして、幅方向凹部４２，４２の両側内面には、前記スライドピン３の係合突起３７が係合する係止段部４６がそれぞれ形成されている。係止段部４６の上方は、上方に向かって広がるテーパ状の案内面をなしている。【００７２】
また、収容凹部４０の軸方向の奥方には、弾性係合片４４ａが、その基端部を収容凹部４０の奥方端面に連結されて、下方に湾曲して突出する形状に形成されている。そして、弾性係合片４４ａの下部には、前記スライドピン３の先端突起３６が係合する係止爪部４３ａが形成されている。【００７３】
したがって、スライドピン３をカム部材４に連結する際には、スライドピン３の柱状部３２及び両側突部３３，３３を、カム部材４の収容凹部４０の軸方向凹部４１及び幅方向凹部４２，４２に挿入する。すると、スライドピン３の両側突部３３の端面に形成された係合突起３７が、カム部材４の幅方向凹部４２の内面に形成された係止段部４６に係合する。この場合、収容凹部４０の両側壁は、その上方部分をスライドピン３の突出部３５，３５で抑えられて拡径を抑制され、係合突起３７と係止段部４６との係合部は、上記突出部３５，３５によって抑えられる部分よりも下方に位置するため、係合突起３７と係止段部４６との係合力が効果的に高められる。また、スライドピン３の先端突起３６が、カム部材４の弾性係合片４４ａの係止爪部４３ａに係合する。こうして、スライドピン３は、挿入方向に対して抜け止めされると共に、両側突部３３，３３が幅方向凹部４２，４２に嵌合するので、軸方向にも抜け止めされて、しっかりと保持される。【００７４】
また、この状態で、弾性係合片４４ａが、スライドピン３を軸方向に押圧するので、両側突部３３，３３が幅方向凹部４２，４２に圧接され、ガタ付きも防止される。【００７５】
更に、スライドピン３の突出部３５，３５は、カム部材４の案内凹部４５，４５に挿入されてその内面に当接し、かつ、突出部３５，３５の下方に位置するリブ３８，３８も、カム部材４の端面に当接するので、スライドピン３とカム部材４との突き当て面が上下位置で当接し合うことになる。このため、両者がよりガタ付きなく連結されると共に、図１７に示す矢印Ａ、Ｂ方向にスライドピン３を折り曲げる力が作用しても、強い抵抗力が付与される。【００７６】
更にまた、図１７の矢印Ｃに示すように、スライドピン３をカム部材４の収容凹部４０から抜き出そうとする力が作用したときには、スライドピン３の先端突起３６に係止爪部４３ａにて係合する弾性係合片４４ａが、上方から下方に向けて屈曲された形状をなすので、強い抵抗力を示す。【００７７】
次に、図１８〜２１を参照して、本発明の第３実施形態を説明する。なお、前記実施形態と実質的に同一部分には同符号を付して、その説明を省略することにする。【００７８】
この第３実施形態は、前記第１実施形態及び第２実施形態と比べて、スライドピン３とカム部材４との連結構造が異なっており、その他の部分は他の実施形態とほぼ同一である。以下、第３実施形態の、他の実施形態に対する相違点を中心に説明する。【００７９】
この第３実施形態においては、他の実施形態と同様に、前記スライドピンは、その連結端部３ｃの中央から柱状部３２が突出すると共に、その先端部両側から両側突部３３，３３がそれぞれ突出した形状をなしている。【００８０】
そして、この第３実施形態と他の実施形態との相違点の一つは、スライドピン３の連結端部３ｃの中央から突出した柱状部３２の形状である。すなわち、他の実施形態の柱状部３２が、断面円形状をなしているのに対し（図６（ａ），図１３（ａ）参照）、第３実施形態の柱状部３２は、図１８及び図１９（ｃ）に示すように、その断面が角形状をなしている。この実施形態での柱状部３２は、断面が四角形状をなしている。【００８１】
このような断面角形状をなす柱状部３２に対応して、該柱状部３２が挿入されて、これを支持する部分である、カム部材４の軸方向凹部４１は、前記柱状部３２の少なくとも一面が適合する内周面を有している。より具体的には図１８に示すように、この軸方向凹部４１の内周面は、スライドピン３の連結端部３ｃの収容凹部４０への挿入方向に沿って、互いに平行に設けられた一対の側面４１ａ，４１ａと、該一対の側面４１ａ，４１ａに直交した設けられた底面４１ｂとからなる、角溝状をなしている。【００８２】
また、この第３実施形態と他の実施形態との相違点のもう一つは、柱状部３２の先端部両側から突出した両側突部３３，３３の形状である。すなわち、第１実施形態の両側突部３３，３３は、図６（ａ），図７（ｂ）に示すように、異径断面（円弧状の外周一箇所に角部を形成した形状）をなし、第２実施形態の両側突部３３，３３は、図１３（ａ），図１４（ｂ）に示すように、断面円形状をなしているのに対して、この第３実施形態における両側突部３３，３３は、その断面が角形状をなしている。この実施形態での両側突部３３，３３は、その断面が四角形状をなしている。【００８３】
上記のような断面角形状をなす両側突部３３，３３に対応して、両側突部３３，３３が受け入れられる部分である、カム部材４の幅方向凹部４２は、前記両側突部３３，３３の少なくとも一面が適合する内周面を有している。具体的には、幅方向凹部４２の両側部の内周面は、スライドピン３の連結端部３ｃの収容凹部４０への挿入方向に沿って、互いに平行な一対の側面４２ａ，４２ａにより一定幅で形成された溝が、収容凹部４０の開口部から底面に至るまで設けられている。また、幅方向凹部４２の開口部側の内周縁には、開口部側に向かって次第に広がるようにカットされたテーパ面４２ｂが形成されており、スライドピン３の連結端部３ｃの収容凹部４０への挿入性が高められている。【００８４】
更に、この実施形態と他の実施形態との相違点の更にもう一つは、両側突部３３，３３の突出端面から、それぞれ突設された係合突起３７ａ，３７ａの形状及び位置である。すなわち、第２実施形態の各係合突起３７，３７は、収容凹部４０への挿入方向側に偏位した位置（挿入方向の前方寄りの位置）に設けられているのに対し（図１４（ｂ）参照）、この第３実施形態の各係合突起３７ａ，３７ａは、図１８及び図１９（ｂ）に示すように、両側突部３３，３３の各端面の、収容凹部４０への挿入方向の後方寄りに形成されている。【００８５】
また、図１８及び図１９（ｃ）に示すように、各係合突起３７ａは、その中央部３７ｂが最も高く突出していると共に、該中央部３７ｂの周縁部３７ｃ（両側突部３３の軸方向に広がる周縁部、及び、収容凹部４０への挿入方向前方に広がる周縁部）は、中央部３７ｂから遠ざかるほど、次第に高さが低くなるようにややカーブした形状をなしている。このような周縁部３７ｃを設けることにより、スライドピン３の連結端部３ｃを、カム部材４の収容凹部４０へ挿入しやすくなっている。【００８６】
図１８及び図２０（ｄ）に示すように、上記形状をなす係合突起３７ａに対応して、収容凹部４０の幅方向凹部４２の両側部には、所定深さの窪み４２ｃ，４２ｃがそれぞれ設けられており、各窪み４２ｃの挿入方向後方寄りの内壁面が、前記係合突起３７ａが係合する係止段部４６，４６をなしている。また、各係止段部４６，４６は、これに係合する係合突起３７ａがスライドピン３の収容凹部４０への挿入方向の後方寄りに形成されているため、第２実施形態の係止段部４６（図１５（ｃ）参照）と比べて、スライドピン３の挿入方向の後方寄りに設けられている（図２０（ｄ），図２１（ｂ）参照）。【００８７】
更に、この第３実施形態においては、カム部材４の収容凹部４０に設けた弾性係合片４４ａの形状が、第２実施形態の弾性係合片４４ａとは若干異なっている。すなわち、第２実施形態の弾性係合片４４ａが、収容凹部４０の奥方向端面から斜め下方に湾曲した形状をなしているが（図１３（ｂ）参照）、この第３実施形態の弾性係合片４４ａは、収容凹部４０の奥方向端面（すなわち、フランジ部１６の収容凹部４０側の端面）から、軸方向に所定長さで伸びていて、そこから斜め下方に湾曲した形状をなしていて、弾性係合片４４ａが収容凹部４０の内方側へやや突出するように形成されている。このような形状を採用することにより、連結端部３ｃを収容凹部４０へ挿入する際に、先端突起３６が弾性係合片４４ａに当接しやすくなって強く押圧されるようになるので、弾性係合片４４ａをより撓ませやすくさせることができる。【００８８】
次に、上記形状をなした第３実施形態のロック装置において、カム部材４にスライドピン３を連結させる作業について説明する。【００８９】
すなわち、前記他の実施形態と同様に、スライドピン３の柱状部３２及び両側突部３３，３３を、カム部材４の収容凹部４０の軸方向凹部４１及び幅方向凹部４２，４２にそれぞれ整合させて挿入する。すると、スライドピン３の係合突起３７，３７が、カム部材４の幅方向凹部４２両側の窪み４２ｃ，４２ｃにそれぞれ入り込んで、係止段部４６，４６にそれぞれ係合すると共に、スライドピン３の先端突起３６が、カム部材４の弾性係合片４４ａの係止爪部４３ａに係合する。こうして、スライドピン３は、挿入方向に対して抜け止めされると共に、両側突部３３，３３が幅方向凹部４２，４２に嵌合して、軸方向にも抜け止めされて、しっかりと保持される。【００９０】
ところで、ロック装置を備えた車両に外部から衝撃力が加わる等して、図１０の矢印Ｇに示すように、インストルメントパネルＰの収納空間Ｓを閉塞するグローブボックスＢの蓋体に力が作用したとき、スライドピン３に、収容凹部４０への挿入方向とは反対側の力が加わって（図２１の矢印Ｈ参照）、抜け外れてしまう恐れがある。【００９１】
また、スライドピン３とカム部材４との間にガタ付きがあったり、接続部での剛性が不足したりして、スライドピン３とカム部材４との一体化が不十分である場合には、次のような問題点が生じる。例えば、ビビリ振動による異音が発生する可能性がある。また、スライドピン３とカム部材４との間に位置ずれが生じて、スライドピン３の先端部３ａがロック孔３１からずれて、しっかりと入り込まなくなったり、先端部３ａのロック孔３１に対する入り込み深さがばらついたり、グローブボックスＢの左右の通孔５１，５１（図１０参照）から突出する、両スライドピン３の先端部３ａ，３ａの突出量が異なったりする場合がある。その結果、操作ハンドル１を操作しても、スライドピン３の先端部３ａがロック孔３１に残ってロックが解除できなくなったり、その反対にグローブボックスＢを閉めても、スライドピン３の先端部３ａがロック孔３１に係合せずロックできなくなくなったり、更には、左右のスライドピン３，３の一方の先端部３ａだけがロック孔３ａに係合したままの状態又は係合しない状態となったりして、ロック装置の開閉動作が不安定になる恐れがある。【００９２】
しかしながら、この第３実施形態においては、矢印Ｈに示すように、スライドピン３が収容凹部４０から外れる方向に力が作用すると、断面四角形状の両側突部３３，３３の挿入方向に沿った両側面が、幅方向凹部４２の側面４２ａ，４２ａに当接するようになっている。すなわち、この第３実施形態においては、断面角形状をなす各両側突部３３，３３の少なくとも一面が、幅方向凹部４２の内面に適合して当接するようになっているので、スライドピン３のガタ付きを抑えて、カム部材４に対して高い剛性で保持させることができ、スライドピン３が収容凹部４０から抜け外れることをより確実に防止することができる。また、ガタ付きに起因するビビリ振動を防止して異音を抑制することができると共に、スライドピン３とカム部材４との一体性を高めることができ、操作ハンドル１を動かしたときの支持体（インストルメントパネルＰ）に対するスライドピン３の係脱動作がスムーズになされる。【００９３】
更に、スライドピン３の両側突部３３，３３が断面角形状をなしていることにより、収容凹部４０の両側部内面と、スライドピン３の両側突部３３，３３との当接面積が増大し、その結果、両側突部３３，３３の収容凹部４０に対する接触面圧を低減することができる。そのため、グローブボックスＢの開閉動作を繰り返すことにより、スライドピン３の両側突部３３，３３とカム部材４の収容凹部４０との間で摺動が繰り返しなされても、スライドピン３の両側突部３３，３３とカム部材４の収容凹部４０との摩耗を少なくすることができる。それにより長期間に亘って、スライドピン３の収容凹部４０からの抜け外れ防止や、ビビリ振動の防止、異音の抑制、スライドピンとカム部材との一体性向上等の上記効果を発揮させることができる。【００９４】
また、この第３実施形態においては、スライドピン３の係合突起３７ａは、両側突部３３，３３の各端面の、スライドピン３の収容凹部４０への挿入方向の後方寄りに形成されているので、スライドピン３の係合突起３７ａに係合する係止段部４６を、スライドピン３の挿入方向の後方寄りに設けることができる。その結果、収容凹部４０の幅方向凹部４２の内面に設けた係止段部４６が外側に撓みやすくなり、スライドピン３の連結端部３ｃを収容凹部４０へ挿入する際の押し込み力を低減することでき、スライドピン３のカム部材４に対する組付け作業性を向上させることができる。【００９５】
ところで、カム部材４に連結されたスライドピン３には、図２１の矢印Ｉに示すように、スライドピン３がカム部材４に対して回転する方向に力が作用することがある。このとき、断面四角形状をなした柱状部３２の各側辺が、角溝状をなした軸方向凹部４１の側面４１ａ，４１ａや底面４１ｂに当接するようになっている。すなわち、この第３実施形態においては、カム部材４に対してスライドピン３が回転する方向に力が作用した場合に、断面角形状をなすスライドピン３の柱状部３２の少なくとも一面が、カム部材４の軸方向凹部４１の内周面に適合して当接するので、スライドピン３の回り止めがなされる。それにより、スライドピン３の回転方向に対するガタ付きを抑えて、高い剛性でカム部材４に保持させることができ、スライドピン３とカム部材４との一体性を高めることができる。【００９６】
なお、前記第１〜３の各実施形態においては、カム溝２０を直角三角形となす構成を述べたが、通常の使用状態における操作ハンドル１の揺動運動からスライドピン３の直動運動への変換は、直角三角形の斜辺を構成する段差部２２と第１凸部７との摺動によるものであるので、カム部材４は、揺動軸線に対して平行や直交以外の角度をもっている段差面を有していれば、第１〜３の各実施形態と同様の作用効果が得られる。この場合、段差面の長手方向の形状は、直線でも曲線でも自由曲線でもよく、第１凸部７の摺動範囲となる両方の端点位置を最短距離で結んだ直線が揺動軸線に対して平行や直交以外であれば、本発明の実施が可能となる。【００９７】
また、第１〜３の各実施形態において、操作ハンドル１の円筒部６内にカム部材４を挿入して、Ｏリング２４の外面全てが円筒部６の内面と摺接する構成を述べたが、円筒部６を完全な円筒形ではなく、一部に円筒状の内面を備える半円筒形のような形状となして、それがＯリング２４の外面の一部と摺接する構成としても、本発明の実施が可能となる。【００９８】
また、第１〜３の各実施形態において、操作ハンドル１の揺動軸とスライドピン３の直動軸を同一軸とする構成を述べたが、設計の自由度を広げるために、操作ハンドル１の揺動軸とスライドピン３の直動軸を平行に配置することも可能で、その場合は、連接棒等を介して、カム部材４とスライドピン３とを連設する構成とすることで、本発明の実施が可能となる。この場合も、操作ハンドル１の揺動運動をスライドピン３の直動運動に変換できるので、第１〜３の各実施形態と同様の作用効果が得られる。【００９９】
更に、同様な理由で、操作ハンドル１の揺動軸とスライドピン３の直動軸が直交するように配置することも可能で、その場合には、カム溝２０と第１凸部７から成る運動変換機構の代わりに、ラックピニオン機構やピストンクランク機構等を運動変換機構として採用することができる。【０１００】
更にまた、第３実施形態において、柱状部３２及び両側突部３３，３３の断面形状は四角形をなしているが、例えば五角形とか、六角形とかの他の角形でもよい。また、両側面が平行な平面で、底面がこの両側面と垂直な平面で、上面が曲面をなした形状のように、一部が角形をなすような形状でもよい。本発明における「断面が角形状をなす」とは、上記のように、少なくとも１つの角部が設けられ、この角部を介して交わる少なくとも２つの平面を有する形状であればよい。また、カム部材の幅方向凹部及び軸方向凹部は、上記柱状部３２及び両側突部３３，３３の角形状をなす断面の少なくとも１つの平面に適合する平面を内周に有していればよい。
【図１】
2008087786.tif 000003
【図２】
2008087786.tif 000004
【図３】
2008087786.tif 000005
【図４】
2008087786.tif 000006
【図５】
2008087786.tif 000007
【図６】
2008087786.tif 000008
【図７】
2008087786.tif 000009
【図８】
2008087786.tif 000010
【図９】
2008087786.tif 000011
【図１０】
2008087786.tif 000012
【図１１】
2008087786.tif 000013
【図１２】
2008087786.tif 000014
【図１３】
2008087786.tif 000015
【図１４】
2008087786.tif 000016
【図１５】
2008087786.tif 000017
【図１６】
2008087786.tif 000018
【図１７】
2008087786.tif 000019
【図１８】
2008087786.tif 000020
【図１９】
2008087786.tif 000021
【図２０】
2008087786.tif 000022
【図２１】
2008087786.tif 000023
【国際調査報告】
2008087786.tif 000024
2008087786.tif 000025
2008087786.tif 000026